(57)【要約】  操作装置は、家電機器の動作強度を規定する強度設定値と、家電機器の動作時間を規定する時間設定値とを直交座標系上に表示するＧＵＩ表示部（３０４）と、ＧＵＩ表示部（３０４）に所定の物体を接触させる操作により、ＧＵＩ表示部（３０４）で表示される強度設定値と時間設定値との入力を同時に受け付けるタッチ操作部（３０１）とを備える。
2015059920.tif 000002
【特許請求の範囲】
【請求項１】
家電機器を操作する操作装置であって、
前記家電機器の動作強度を規定する強度設定値と、前記家電機器の動作時間を規定する時間設定値とを直交座標系上に表示する表示部と、
前記表示部に所定の物体を接触させる操作により、前記表示部で表示される前記強度設定値と前記時間設定値との入力を同時に受け付ける操作部とを備える、
操作装置。
【請求項２】
前記直交座標系上の縦軸及び横軸の一方は、前記強度設定値を表し、前記縦軸及び前記横軸の他方は、前記時間設定値を表し、
前記操作部は、前記直交座標系上における前記強度設定値と前記時間設定値との交点をドラッグさせる操作により、前記強度設定値と前記時間設定値との入力を同時に受け付ける、
請求項１記載の操作装置。
【請求項３】
前記直交座標系上の縦軸及び横軸の一方は、前記強度設定値を表し、前記縦軸及び前記横軸の他方は、前記時間設定値を表し、
前記操作部は、前記直交座標系上における任意の位置をタッチする操作により、前記強度設定値と前記時間設定値との入力を同時に受け付け、
前記表示部は、前記操作部によってタッチされた位置と、前記強度設定値と前記時間設定値との交点とが一致するように、前記強度設定値と前記時間設定値とを表示する、
請求項１記載の操作装置。
【請求項４】
前記操作部は、前記所定の物体を接触させた状態で前記直交座標系上を移動させる操作により、前記所定の物体の接触位置の軌跡を前記強度設定値及び前記時間設定値の入力として受け付ける、
請求項１記載の操作装置。
【請求項５】
前記直交座標系上における所定の軌跡を記憶する記憶部をさらに備え、
前記表示部は、前記表示部に前記所定の物体が接触する前に、前記記憶部に記憶されている前記所定の軌跡を表示する、
請求項４記載の操作装置。
【請求項６】
前記表示部に前記所定の物体が接触する前に表示される前記所定の軌跡の表示形態は、前記操作部により入力される前記所定の物体の接触位置の軌跡の表示形態と異なる、
請求項５記載の操作装置。
【請求項７】
前記表示部に前記所定の物体が接触する前に表示される前記所定の軌跡は、前記家電機器が制御する対象物に応じて異なる、
請求項５又は６記載の操作装置。
【請求項８】
前記操作部は、前記表示部に接触された前記所定の物体の軌跡を任意の区間ごとに座標値に変換し、隣り合う座標値の水平方向の値の変化が所定値以下である場合、前記隣り合う座標値の水平方向の値は変化していないとして入力を受け付け、隣り合う座標値の垂直方向の値の変化が所定値以下である場合、前記隣り合う座標値の垂直方向の値は変化していないとして入力を受け付ける、
請求項４〜７のいずれか１項に記載の操作装置。
【請求項９】
前記家電機器は、食品を加熱する加熱調理器を含む、
請求項１〜８のいずれか１項に記載の操作装置。
【請求項１０】
家電機器を操作するための操作方法であって、
表示部が、前記家電機器の動作強度を規定する強度設定値と、前記家電機器の動作時間を規定する時間設定値とを直交座標系上に表示するステップと、
操作部が、前記表示部に所定の物体を接触させる操作により、前記表示部で表示される前記強度設定値と前記時間設定値との入力を同時に受け付けるステップと、
を含む操作方法。
【発明の詳細な説明】
【技術分野】
【０００１】
本発明は、家電機器を操作する操作装置及び操作方法に関するものである。
【背景技術】
【０００２】
タッチパネルを有する表示部を備えた従来の表示装置は、表示部の一画面に複数の選択肢を表す複数の画像を同時に表示させ、複数の画像のうちの１つである第１選択肢を表す第１表示位置にある第１の画像と、複数の選択肢のうちの他の選択肢である第２選択肢を表す第２表示位置にある第２の画像とに、指またはペン状物体が順次接触して、指またはペン状物体が順次接触したことを表す互換操作信号をタッチパネルから受けると、第１選択肢を表す第１の画像と第２選択肢を表す第２の画像とを互換して、第１画像を第２表示位置に表示させると共に、第２画像を第１画像表示位置に表示させる（例えば、特許文献１参照）。これにより、タッチパネルに対するユーザの指またはペン状物体の接触による簡単な操作によって、表示部に表示された複数の選択肢の表示順を容易に並べ替えることができる。【０００３】
また、一般的に多くの家電機器では、マニュアル設定でユーザの嗜好に合わせて動作させる場合、取り扱う対象物に対する強度設定、時間設定またはその両方を、スイッチにより入力させることが多い。【０００４】
具体的には、電子レンジにおいて、レンジ機能を使う場合、ユーザは、強度設定である電波の出力設定を行い、次に時間設定を行い、加熱調理をスタートさせる。また、電子レンジにおいて、オーブン機能を使う場合、ユーザは、強度設定であるオーブンの温度設定（通常１５０〜３００℃）を行い、次に時間設定を行い、オーブン調理をスタートさせる。【０００５】
しかしながら、従来の表示装置では、タッチパネルを有する表示部を備え、表示部の一画面に複数の選択肢を表す複数の画像を表示し、第１の画像と第２の画像とに指またはペン状物体を順次接触させることで、第１の画像と第２の画像とを入れ替える操作を簡単に行うことはできるが、加熱調理器のマニュアル操作のオーブン機能又は電子レンジ機能を使う場合において、火力又は電波の出力などの強度設定及び時間設定を簡単かつ少ない手数で操作することが困難であるという課題がある。
【先行技術文献】
【特許文献】
【０００６】
【特許文献１】国際公開第２０１２／００８４７５号
【発明の概要】
【０００７】
本発明は、上記の問題を解決するためになされたもので、使用者の利便性を向上させることができる操作装置及び操作方法を提供することを目的とするものである。
【０００８】
本発明の一局面に係る操作装置は、家電機器を操作する操作装置であって、前記家電機器の動作強度を規定する強度設定値と、前記家電機器の動作時間を規定する時間設定値とを直交座標系上に表示する表示部と、前記表示部に所定の物体を接触させる操作により、前記表示部で表示される前記強度設定値と前記時間設定値との入力を同時に受け付ける操作部とを備える。
【０００９】
本発明によれば、家電機器の動作強度を規定する強度設定値と、家電機器の動作時間を規定する時間設定値とを少ない手数で簡単に設定することができるので、使用者の利便性を向上させることができる。
【図面の簡単な説明】
【００１０】
【図１】本発明の実施の形態１におけるオーブン電子レンジの外観を示す図である。
【図２】本発明の実施の形態１におけるオーブン電子レンジの操作表示部の構成を示す図である。
【図３】本発明の実施の形態１における操作表示部の構成を示すブロック構成図である。
【図４】本実施の形態１の電子レンジのオーブン調理における温度設定値及び時間設定値を変更する前の表示画面の一例を示す図である。
【図５】本実施の形態１の電子レンジのオーブン調理における温度設定値及び時間設定値を変更した後の表示画面の一例を示す図である。
【図６】本実施の形態１においてドラッグ操作により温度設定値及び時間設定値を変更する動作を説明するためのフローチャートである。
【図７】本実施の形態１の第１変形例の電子レンジのオーブン調理における温度設定値及び時間設定値を変更する前の表示画面の一例を示す図である。
【図８】本実施の形態１の第１変形例の電子レンジのオーブン調理における温度設定値及び時間設定値を変更した後の表示画面の一例を示す図である。
【図９】本実施の形態１の第１変形例においてタッチ操作により温度設定値及び時間設定値を変更する動作を説明するためのフローチャートである。
【図１０】本実施の形態１の第２変形例の電子レンジの出力設定値及び時間設定値を変更する前の表示画面の一例を示す図である。
【図１１】本実施の形態１の第２変形例の電子レンジの出力設定値及び時間設定値を変更した後の表示画面の一例を示す図である。
【図１２】本実施の形態１の第３変形例の電子レンジの出力設定値及び時間設定値を変更する前の表示画面の一例を示す図である。
【図１３】本実施の形態１の第４変形例のオーブンの温度設定値及び時間設定値を変更する際に通常表示される表示画面の一例を示す図である。
【図１４】本実施の形態１の第４変形例のオーブンの温度設定値及び時間設定値を変更する際に指が近接した場合に表示される表示画面の一例を示す図である。
【図１５】本発明の実施の形態２におけるオーブン電子レンジの操作表示部の構成を示す図である。
【図１６】本発明の実施の形態２における操作表示部の構成を示すブロック図である。
【図１７】本実施の形態２の電子レンジのオーブン調理における温度設定値（加熱レベル）及び時間設定値を設定する前の表示画面の一例を示す図である。
【図１８】本実施の形態２の電子レンジのオーブン調理における温度設定値及び時間設定値を設定した後の表示画面の一例を示す図である。
【図１９】本実施の形態２においてドラッグ操作により温度設定値及び時間設定値を設定する動作を説明するためのフローチャートである。
【図２０】操作装置と、操作装置によって操作される複数の家電機器とを備える機器制御システムの一例を示す図である。
【図２１】複数の家電機器のそれぞれによって制御される強度設定値の一例を示す図である。
【発明を実施するための形態】
【００１１】
以下、本発明の実施の形態について、図面を参照しながら説明する。なお、この実施の形態によって本発明が限定されるものではない。また、同一の構成要素に関しては、同じ符号を付し説明を省略する。
【００１２】
（実施の形態１）
図１は、本発明の実施の形態１におけるオーブン電子レンジの外観を示す図である。図２は、本発明の実施の形態１におけるオーブン電子レンジの操作表示部の構成を示す図である。図３は、本発明の実施の形態１における操作表示部の構成を示すブロック図である。図１、図２及び図３を用いて、本実施の形態１の構成を説明する。なお、本実施の形態１では、操作装置を備えた家電機器の一例としてオーブン電子レンジを用いて説明するが、家電機器は、オーブン電子レンジに限定されない。
【００１３】
図１において、オーブン電子レンジ（以下、電子レンジと呼ぶ）は、電子レンジ筐体１、ドア２、ドアハンドル３及び操作表示部４を備える。電子レンジは、食品を加熱する加熱調理器の一例である。
【００１４】
本実施の形態１の電子レンジは、電波により加熱する電子レンジ調理機能と、ヒータにより加熱するオーブン調理機能と、スチームを利用したスチーム調理機能とを備えた電子レンジである。電子レンジの外装である電子レンジ筐体１の前面に設けられたドア２から、食品が電子レンジの庫内に収納され、ドア２が閉じられて加熱調理が行われる。ユーザは、ドア２に設けられたドアハンドル３を手で掴んで手前に引くことにより、電子レンジの前面の開口部から、調理する食品を入れることができる。
【００１５】
ユーザは、調理する食品を電子レンジの庫内に入れると、操作表示部４を操作し、食品を調理するための設定及び指示を行う。詳細は図示しないが、ドア２を開くことで、電子レンジの電源がＯＮされ、操作表示部４の操作によって、手動操作又は自動メニュー等のモードを切り替えて調理設定が行われる。そして、スタートキーが押下され、調理が開始される。調理が完了すると、電子レンジは加熱を停止する。
【００１６】
また、手動操作では、電子レンジ、オーブン、グリル又はスチーム（スチームで食品を加熱し、蒸し上げる）などの加熱メニューのうちの１つが選択され、加熱する強度と時間とが設定され、調理が行われる。
【００１７】
具体的には、レンジ機能を用いて調理する場合、電波の出力パワー（Ｗ）と時間とが設定される。オーブン機能を用いて調理する場合、温度（℃）と時間とが設定され、スタートされる。グリル機能又はスチーム機能を用いて調理する場合、時間が設定され、スタートされる。また、オーブン機能又はグリル機能を用いて調理する場合、オーブン皿を設置する位置が設定される。
【００１８】
自動メニューは、電子レンジが備える加熱機能であるレンジ機能、オーブン機能、発酵機能、グリル機能及びスチーム機能等を組み合わせ、設定された調理メニューに応じて自動的に加熱調理する機能である。
【００１９】
具体的には、ユーザは、操作表示部４を操作し、電子レンジが備える自動メニュー機能から、ハンバーグ等の調理メニューを選択し、スタートキーを押下して調理を開始する。
【００２０】
なお、本実施の形態１の操作表示部４は、グラフィカルユーザインタフェース（以下、ＧＵＩ）を表示するフルドット液晶と、フルドット液晶上に設けられた静電容量式タッチパネルとで構成される。そして、操作表示部４は、ユーザの指が接触したことを検出し、接触した位置を判定し、判定された位置にあるＧＵＩで表現したボタンの押下を受け付け、電子レンジへ指示する。
【００２１】
次に、図２を用いて、操作表示部４の外観構成を説明する。図２の操作表示部４は、ＧＵＩ操作表示部２０１、スタートキー２０５、戻るキー２０６及び取消キー２０７を備える。ＧＵＩ操作表示部２０１には、時間設定軸２０２、温度設定軸２０３及びタッチポイント２０４が表示される。
【００２２】
ＧＵＩ操作表示部２０１は、フルドット液晶及び静電容量式タッチパネルから構成されている。時間設定軸２０２を横軸とし、温度設定軸２０３を縦軸とし、加熱時間及び加熱温度がグラフ状に表示される。ユーザは、後述するタッチポイント２０４をタッチ操作し、電子レンジの加熱時間及び加熱温度を設定する。
【００２３】
時間設定軸２０２は、ＧＵＩ操作表示部２０１に表示される時間設定用の座標軸である。時間設定軸２０２には、５、１０、１５、２０（分）のように目盛が付与される。また、時間設定軸２０２の右端以降、すなわち図２で示す２０分以降を表示しようとすると、グラフ部分がスクロールする。なお、目盛は、レンジ、オーブン、グリル、スチーム又は発酵等の加熱モードによって異なり、範囲を大きくしたり細かくしたりすることが可能である（図示しない）。
【００２４】
温度設定軸２０３は、ＧＵＩ操作表示部２０１に表示される温度設定用の座標軸である。温度設定軸２０３には、１００、２００、３００（℃）のように目盛が付与される。また、温度設定軸２０３の上端以降、すなわち図２で示す３００℃以降を表示しようとすると、グラフ部分がスクロールする。
【００２５】
なお、目盛は、レンジ、オーブン、グリル、スチーム又は発酵等の加熱モードによって異なる。加熱モードがオーブン又は発酵である場合は、目盛は温度を表し、加熱モードが電子レンジである場合は、目盛は電波の出力パワー（Ｗ）を表す。
【００２６】
タッチポイント２０４は、ＧＵＩ操作表示部２０１に表示される温度設定値と時間設定値との交点である。タッチポイント２０４は、温度設定軸２０３上の温度設定値から、温度設定軸２０３に垂直な方向に伸ばした直線と、時間設定軸２０２上の時間設定値から、時間設定軸２０２に垂直な方向に伸ばした直線との交点である。タッチポイント２０４は、ユーザの指でタッチされ、上、下、左、右又は斜めにドラッグ操作される。これにより、連続的にかつ同時に２つの設定値が変更される。そして、タッチポイント２０４から指がリリースされる（指が離される）と、２つの設定値が確定される。タッチポイント２０４が右方向にドラッグされ、タッチポイント２０４がグラフの右端まで来ると、時間設定軸２０２の目盛りがスクロールされる。
【００２７】
また、表示されているグラフ状の設定マップがタッチされることで、連続的に温度設定値及び時間設定値を変化させずに、瞬間的に温度設定値及び時間設定値を変更させることも可能である。すなわち、表示される直交座標系内の任意の位置がタッチされた場合、タッチされた位置にタッチポイント２０４を移動させてもよい。
【００２８】
時間設定軸２０２からタッチポイント２０４へ伸びる垂線と、温度設定軸２０３からタッチポイント２０４へ伸びる垂線とで囲まれているエリアの色は、当該エリアの周囲の色と変えて表示することで、時間設定値及び温度設定値を分かりやすくする。また、時間設定軸２０２からタッチポイント２０４へ伸びる垂線と、温度設定軸２０３からタッチポイント２０４へ伸びる垂線とで囲まれているエリアは、形状的にグラフィカルに表示することで、当該機能の設定値を直感的に分かりやすくしている。
【００２９】
また、本実施の形態では、ＧＵＩ操作表示部２０１は、温度設定値及び時間設定値の初期設定値を、周囲と色を変えた矩形領域で表示しているが、初期設定値は表示しなくてもよい。ＧＵＩ操作表示部２０１は、表示されたグラフ状の設定マップの任意の位置がタッチされると、初期設定値を表示してもよい。
【００３０】
本実施の形態では、タッチポイント２０４は、温度設定値及び時間設定値の交点を示しているが、操作可能なタッチポイント２０４をより分かりやすくするために、マーカーボタン（後述）をタッチポイント２０４の位置に表示してもよい。また、ＧＵＩ操作表示部２０１は、タッチ操作時のみマーカーボタンを表示してもよい。タッチポイント２０４は、温度設定値及び時間設定値を変更する為のタッチ操作可能な操作部を構成すればよく、その手段は限定されない。
【００３１】
また、タッチパネルが指の近接を検知可能である場合、ＧＵＩ操作表示部２０１は、指が近接した場合にマーカーボタンを表示してもよい。
【００３２】
スタートキー２０５は、ＧＵＩ操作表示部２０１で設定及び確定された温度設定値及び時間設定値で、加熱調理を開始するためのボタンである。
【００３３】
戻るキー２０６は、ＧＵＩ操作表示部２０１で遷移されるＧＵＩ表示又はＧＵＩ操作表示部２０１で決定した設定等を一つ前の手順に戻す為のボタンであり、一つ前の画面に戻るためのボタンである。
【００３４】
取消キー２０７は、ＧＵＩ操作表示部２０１で順次設定された設定値又は加熱動作が開始された後に加熱動作を停止させるためのボタンである。
【００３５】
スタートキー２０５、戻るキー２０６及び取消キー２０７は、タクトスイッチ又は静電容量式タッチスイッチ等の独立キーで構成されている。
【００３６】
次に、図３を用いて、操作表示部４の機能構成を説明する。
【００３７】
操作表示部４は、タッチ操作部３０１、タッチ検知部３０２、制御部３０３、ＧＵＩ表示部３０４、スイッチ（ＳＷ）操作部３０５、記憶部３０６、ヒータ３０７及び電波出力部３０８を備える。これらの構成要素を協働させ、操作表示部４として機能させている。
【００３８】
操作表示部４は、ハードウェアとしては、マイクロコンピュータ、フルドット液晶、静電容量式タッチパネル、静電容量式タッチセンサＩＣ（Ｉｎｔｅｇｒａｔｅｄ  Ｃｉｒｃｕｉｔ）及びスイッチを備え、ハードウェアと、マイクロコンピュータを動作させるソフトウェアとを協働させている。
【００３９】
タッチ操作部３０１は、例えば静電容量式タッチパネルで構成される。ユーザの指が接触すると静電容量が変化し、後述するタッチ検知部３０２で検知される。
【００４０】
タッチ検知部３０２は、タッチ操作部３０１の静電容量の変化を検知するセンサＩＣである。タッチ検知部３０２は、検知した静電容量の変化量及び座標を出力する。
【００４１】
制御部３０３は、マイクロコンピュータ及びソフトウェアで構成され、各種センサの検知情報及び操作表示部４の設定値を取得する。なお、本実施の形態のように電子レンジが操作装置（操作表示部４）を搭載した場合であれば、制御部３０３は、上記の機能以外にも、加熱用電波を出力するマグネトロン又は庫内を加熱するヒータを駆動し、電子レンジを制御する。なお、制御部３０３を構成するマイクロコンピュータは、１個であっても複数であってもよい。
【００４２】
ＧＵＩ表示部３０４は、例えばフルドット液晶で構成される。制御部３０３は、描画するＧＵＩ画像をビデオＲＡＭ（Ｒａｎｄｏｍ  Ａｃｃｅｓｓ  Ｍｅｍｏｒｙ）に作成し、作成したＧＵＩ画像を所定タイミングごとに液晶（ＧＵＩ表示部３０４）へ出力する。ＧＵＩ表示部３０４は、制御部３０３によって出力されたＧＵＩ画像を表示する。
【００４３】
ＧＵＩ表示部３０４は、家電機器の動作強度を規定する強度設定値と、家電機器の動作時間を規定する時間設定値とを直交座標系上に表示する。タッチ操作部３０１は、ＧＵＩ表示部３０４に所定の物体を接触させる操作により、ＧＵＩ表示部３０４で表示される強度設定値と時間設定値との入力を同時に受け付ける。なお、所定の物体とは、指又はタッチペンなどであり、タッチ検知部３０２に接触を検知させることができる様々な物体である。
【００４４】
また、直交座標系上の縦軸及び横軸の一方は、強度設定値を表し、縦軸及び横軸の他方は、時間設定値を表す。タッチ操作部３０１は、直交座標系上における強度設定値と時間設定値との交点をドラッグさせる操作により、強度設定値と時間設定値との入力を同時に受け付ける。
【００４５】
ＳＷ操作部３０５は、例えばタクトスイッチ（ＳＷ）で構成される。ＳＷ操作部３０５は、加熱動作の開始を指示するためのスタートキー、一つ前の画面に戻るための戻るキー、及び入力内容を取り消したり加熱動作を停止したりするための取消キーで構成される。
【００４６】
記憶部３０６は、ＲＯＭ（Ｒｅａｄ  Ｏｎｌｙ  Ｍｅｍｏｒｙ）又はＲＡＭなどのメモリで構成される。記憶部３０６は、加熱モードごとに頻繁に利用される標準のデフォルト設定値（温度設定値と時間設定値との組合せ又は出力設定値と時間設定値との組合せ）、又はユーザが頻繁に利用する任意設定値を記憶する。任意設定値は、ユーザが操作表示部４を操作することにより、適宜ＲＡＭ又は書換え可能なＲＯＭ（ＦｌａｓｈＲＯＭ又はＥＥＰＲＯＭなど）に記憶される。
【００４７】
ヒータ３０７は、オーブン調理用の加熱用ヒータで構成される。制御部３０３は、ヒータ３０７に供給する電力を制御し、オーブン調理の温度を調整及び制御する。
【００４８】
電波出力部３０８は、電子レンジ調理用の電波を出力するマグネトロンで構成される。制御部３０３は、電波出力部３０８から出力される電波を調整及び制御する。
【００４９】
なお、本実施の形態１の操作装置は、図３の点線部分で示されるタッチ操作部３０１、タッチ検知部３０２、制御部３０３、ＧＵＩ表示部３０４、ＳＷ操作部３０５及び記憶部３０６から構成される。
【００５０】
次に、本実施の形態１の電子レンジのオーブン調理において、ドラッグ操作により、温度設定値と時間設定値とを設定及び変更する動作について説明する。
【００５１】
図４は、本実施の形態１の電子レンジのオーブン調理における温度設定値及び時間設定値を変更する前の表示画面の一例を示す図である。図５は、本実施の形態１の電子レンジのオーブン調理における温度設定値及び時間設定値を変更した後の表示画面の一例を示す図である。図６は、本実施の形態１においてドラッグ操作により温度設定値及び時間設定値を変更する動作を説明するためのフローチャートである。図４〜図６を用いて、温度設定値及び時間設定値を変更する動作を説明する。
【００５２】
まず、ステップＳ１において、ＧＵＩ表示部３０４は、初期温度設定値及び初期時間設定値を、縦軸が温度設定値であり横軸が時間設定値である直交座標系上に表示する。記憶部３０６は、初期温度設定値及び初期時間設定値を予め記憶している。制御部３０３は、記憶部３０６から初期温度設定値及び初期時間設定値を読み出し、初期温度設定値及び初期時間設定値を直交座標系上に表示するＧＵＩ画像を作成し、ＧＵＩ表示部３０４へ出力する。
【００５３】
この時、ＧＵＩ表示部３０４は、現時点の初期温度設定値及び初期時間設定値を、時間設定軸２０２と温度設定軸２０３との間の領域に表示する。なお、本実施の形態では、初期温度設定値は、例えば１５０℃であり、初期時間設定値は、例えば７分である。ＧＵＩ表示部３０４は、初期温度設定値と初期時間設定値とによって特定される直交座標系上の点から、時間設定軸２０２に伸びる垂線と、温度設定軸２０３に伸びる垂線とを表示する。
【００５４】
電子レンジにおいて、オーブン調理する際の温度設定値及び時間設定値を変更する場合、図４に示すように、ユーザは、時間設定軸２０２と温度設定軸２０３との間の領域に表示されたタッチポイント２０４を指４０１でタッチする。
【００５５】
次に、ステップＳ２において、タッチ検知部３０２は、タッチパネル（タッチ操作部３０１）上にユーザの指が接触したか否かを判断する。タッチ操作部３０１が指でタッチされると、タッチ検知部３０２は、タッチ操作を検知する。ここで、ユーザの指が接触していないと判断された場合（ステップＳ２でＮＯ）、ステップＳ１の処理に戻る。
【００５６】
一方、ユーザの指が接触したと判断された場合（ステップＳ２でＹＥＳ）、ステップＳ３において、タッチ検知部３０２は、タッチされた座標を検知し、検知した座標を制御部３０３へ出力する。
【００５７】
次に、ステップＳ４において、制御部３０３は、検知された座標が、記憶部３０６に保持されている現在のタッチポイント２０４の座標と一致するか否かを判断する。制御部３０３は、記憶部３０６に保持されている現在のタッチポイント２０４の座標を含む所定のエリア内がタッチされたか否かを、取得したタッチ座標と比較して判断する。ここで、検知された座標がタッチポイント２０４の座標と一致しないと判断された場合（ステップＳ４でＮＯ）、ステップＳ１の処理に戻る。
【００５８】
一方、検知された座標がタッチポイント２０４の座標と一致すると判断された場合（ステップＳ４でＹＥＳ）、ステップＳ５において、タッチ検知部３０２は、ドラッグ操作を検知したか否かを判断する。ドラッグ操作とは、指がタッチパネルに接触した状態で移動する操作である。指４０１がタッチポイント２０４をドラッグすると、タッチ検知部３０２は、ドラッグ操作を検知する。ここで、ドラッグ操作が検知されない場合（ステップＳ５でＮＯ）、ステップＳ８の処理へ移行する。
【００５９】
一方、ドラッグ操作が検知された場合（ステップＳ５でＹＥＳ）、ステップＳ６において、タッチ検知部３０２は、ドラッグされた座標を検知し、検知した座標を制御部３０３へ出力する。
【００６０】
指４０１が図４の矢印３１１の方向にドラッグされると、タッチ検知部３０２は、指がタッチしているタッチ操作部３０１の座標を所定時間間隔（例えば数１０ミリ秒程度）で検知し、検知した座標を制御部３０３へ出力する。制御部３０３は、取得したタッチ座標に応じてＧＵＩ画像を作成する。制御部３０３は、ユーザの指がタッチしている位置と、タッチポイント２０４とが一致するＧＵＩ画像を作成する。なお、タッチポイント２０４は、ユーザの指の移動に合わせて移動し、タッチポイント２０４から時間設定軸２０２及び温度設定軸２０３に伸びる垂線も、ユーザの指の移動に合わせて移動する。
【００６１】
次に、ステップＳ７において、ＧＵＩ表示部３０４は、制御部３０３によって作成されたＧＵＩ画像を画面更新タイミング毎に表示する。ユーザは、自分が設定したい温度及び時間の位置まで指４０１を画面に接触させた状態で移動し、指４０１をリリースする。リリースとは、指４０１でタッチした操作対象から指を離す動作である。
【００６２】
次に、ステップＳ８において、タッチ検知部３０２は、指４０１が画面から離されたか否かを判断する。タッチ検知部３０２は、指４０１が画面から離されたことを検知する。ここで、指４０１が離されていないと判断された場合（ステップＳ８でＮＯ）、ステップＳ５の処理に戻る。
【００６３】
一方、指４０１が離されたと判断された場合（ステップＳ８でＹＥＳ）、ステップＳ９において、タッチ検知部３０２は、指４０１が画面から離された位置を示す座標を検知する。タッチ検知部３０２は、指４０１が画面から離されたことを示すリリース情報と、指４０１が離された位置を示す座標とを制御部３０３へ出力する。
【００６４】
次に、ステップＳ１０において、制御部３０３は、タッチポイント２０４が移動することにより、温度設定値及び時間設定値が変更したＧＵＩ画像を作成し、ＧＵＩ表示部３０４は、制御部３０３によって作成されたＧＵＩ画像を表示する。例えば、図５に示すように、ＧＵＩ表示部３０４は、温度設定値が２５０℃に変更され、時間設定値が２０分に変更されたＧＵＩ画像を表示する。また、制御部３０３は、同時に記憶部３０６に、変更された温度設定値及び時間設定値を記憶する。
【００６５】
その後、ＳＷ操作部３０５は、スタートキー２０５の押下を受け付ける。スタートキー２０５が押下されると、制御部３０３は、記憶部３０６に記憶された温度設定値及び時間設定値でオーブン調理用のヒータ３０７の加熱動作を制御する。
【００６６】
なお、本実施の形態では、時間設定軸２０２からタッチポイント２０４へ伸びる垂線と、温度設定軸２０３からタッチポイント２０４へ伸びる垂線とで囲まれている領域の色は、当該領域の周囲の色と変えて表示している。そのため、加熱調理における「エネルギー（温度）×時間」が、視覚的に分かりやすく表示されている。
【００６７】
次に、電子レンジのオーブン調理において、タッチ操作領域の任意の位置を直接タッチすることにより、温度設定値と時間設定値とを設定及び変更する動作について説明する。
【００６８】
図７は、本実施の形態１の第１変形例の電子レンジのオーブン調理における温度設定値及び時間設定値を変更する前の表示画面の一例を示す図である。図８は、本実施の形態１の第１変形例の電子レンジのオーブン調理における温度設定値及び時間設定値を変更した後の表示画面の一例を示す図である。図９は、本実施の形態１の第１変形例においてタッチ操作により温度設定値及び時間設定値を変更する動作を説明するためのフローチャートである。図７〜図９を用いて、温度設定値及び時間設定値を変更する動作を説明する。
【００６９】
実施の形態１の第１変形例と既に説明した実施の形態１とでは、ドラッグ操作ではなく、一回のタッチ操作により、温度設定値と時間設定値とを変更する点が異なる。
【００７０】
直交座標系上の縦軸及び横軸の一方は、強度設定値を表し、縦軸及び横軸の他方は、時間設定値を表す。タッチ操作部３０１は、直交座標系上における任意の位置をタッチする操作により、強度設定値と時間設定値との入力を同時に受け付ける。ＧＵＩ表示部３０４は、タッチ操作部３０１によってタッチされた位置と、強度設定値と時間設定値との交点とが一致するように、強度設定値と時間設定値とを表示する。
【００７１】
まず、ステップＳ２１において、ＧＵＩ表示部３０４は、初期温度設定値及び初期時間設定値を直交座標系上に表示する。記憶部３０６は、初期温度設定値及び初期時間設定値を予め記憶している。制御部３０３は、記憶部３０６から初期温度設定値及び初期時間設定値を読み出し、初期温度設定値及び初期時間設定値を直交座標系上に表示するＧＵＩ画像を作成し、ＧＵＩ表示部３０４へ出力する。
【００７２】
電子レンジのＧＵＩ表示部３０４は、オーブン調理の温度設定値及び時間設定値を変更する場合、図７に示すように、現時点の初期温度設定値及び初期時間設定値を表示する。図７では、初期温度設定値は、例えば１５０℃であり、初期時間設定値は、例えば５分である。ユーザは、ＧＵＩ表示部３０４によって表示された時間設定軸２０２と温度設定軸２０３との間に示されたタッチ操作領域の、所望の温度設定値及び時間設定値に対応する位置付近を指４０１でタッチする。
【００７３】
なお、本実施の形態１の第１変形例において、ＧＵＩ表示部３０４は、初期温度設定値及び初期時間設定値を直交座標系上に表示しているが、本開示は特にこれに限定されず、ＧＵＩ表示部３０４は、初期温度設定値及び初期時間設定値を表示することなく、時間設定軸２０２及び温度設定軸２０３のみを表示してもよい。
【００７４】
次に、ステップＳ２において、タッチ検知部３０２は、タッチパネル（タッチ操作部３０１）上にユーザの指が接触したか否かを判断する。タッチ操作部３０１が指４０１でタッチされると、タッチ検知部３０２は、タッチ操作を検知する。ここで、ユーザの指が接触していないと判断された場合（ステップＳ２２でＮＯ）、ステップＳ２１の処理に戻る。
【００７５】
一方、ユーザの指が接触したと判断された場合（ステップＳ２２でＹＥＳ）、ステップＳ２３において、タッチ検知部３０２は、タッチされた座標を検知し、検知した座標を制御部３０３へ出力する。
【００７６】
次に、ステップＳ２４において、制御部３０３は、検知されたタッチ座標へ、温度設定値と時間設定値との交点であるタッチポイント２０４を移動させるとともに、記憶部３０６に座標に対応付けて保持されている設定値情報（温度設定値及び時間設定値）を読み出し、読み出した温度設定値及び時間設定値を示すＧＵＩ画像を作成し、ＧＵＩ表示部３０４は、作成されたＧＵＩ画像を表示する。
【００７７】
図８に示すように、ＧＵＩ表示部３０４は、タッチポイント２０４を、指４０１が接触された位置に移動させるとともに、指４０１が接触された位置の座標に対応付けられている温度設定値（３００℃）及び時間設定値（１８分）をユーザに提示するようにＧＵＩ画像を表示する。
【００７８】
次に、ステップＳ２５において、タッチ検知部３０２は、指４０１が画面から離されたか否かを判断する。ユーザが指４０１を画面から離すと、タッチ検知部３０２は、指４０１が画面から離されたことを検知する。ここで、指４０１が離されていないと判断された場合（ステップＳ２５でＮＯ）、ステップＳ２４の処理に戻る。
【００７９】
一方、指４０１が離されたと判断された場合（ステップＳ２５でＹＥＳ）、ステップＳ２６において、タッチ検知部３０２は、指４０１が画面から離された位置を示す座標を検知する。タッチ検知部３０２は、指４０１が画面から離されたことを示すリリース情報と、指４０１が離された位置を示す座標とを制御部３０３へ出力する。
【００８０】
次に、ステップＳ２７において、制御部３０３は、タッチポイント２０４が移動することにより、温度設定値及び時間設定値が変更したＧＵＩ画像を作成し、ＧＵＩ表示部３０４は、制御部３０３によって作成されたＧＵＩ画像を表示する。また、制御部３０３は、指４０１が画面から離されると、変更した温度設定値及び時間設定値を記憶部３０６に記憶する。
【００８１】
その後、ＳＷ操作部３０５は、スタートキー２０５の押下を受け付ける。温度設定値及び時間設定値が変更された後、スタートキー２０５が押下されると、制御部３０３は、記憶部３０６に記憶された温度設定値及び時間設定値でオーブン調理用のヒータ３０７の加熱動作を制御する。
【００８２】
なお、本実施の形態１では、オーブンモードを用いた加熱動作の例を説明したが、電子レンジモードを用いた加熱動作又は他の加熱モードを用いた加熱動作においても同様に適用することが可能である。加熱モードが電子レンジモードである場合、温度設定値の代わりに、出力設定値が縦軸に用いられ、出力設定値と時間設定値との組み合わせにより電子レンジの加熱動作が設定される。
【００８３】
また、図４又は図７に示すように、ＧＵＩ表示部３０４は、ユーザが設定値を変更する前の状態（デフォルト状態）で、現在の設定値（初期設定値）を表示しているが、デフォルト状態で現在の設定値（初期設定値）を表示しなくてもよい。
【００８４】
図１０は、本実施の形態１の第２変形例の電子レンジの出力設定値及び時間設定値を変更する前の表示画面の一例を示す図である。図１１は、本実施の形態１の第２変形例の電子レンジの出力設定値及び時間設定値を変更した後の表示画面の一例を示す図である。本実施の形態１の第２変形例において、ＧＵＩ表示部３０４は、時間設定軸２０２と温度設定軸２０３との間に示されたタッチ操作領域に、図１０のように、標準設定値であるデフォルト設定値（出力設定値及び時間設定値）に対応するアイコンをマッピングして表示してもよい。これにより、ユーザがよく利用する設定値を簡単に設定することが可能である。
【００８５】
ユーザは、画面上に表示される複数のアイコンのうち、所望のアイコンの位置まで、タッチポイント２０４をドラッグする。あるいは、ユーザは、画面上に表示される複数のアイコンのうち、所望のアイコンをタッチする。これにより、一回の操作で電子レンジの加熱動作を設定することができる。なお、１つのアイコンが画面上に表示される場合、ユーザは、画面上に表示される１つのアイコンの位置まで、タッチポイント２０４をドラッグする、又は画面上に表示される１つのアイコンをタッチする。
【００８６】
具体的には、図１０に示すように、出力設定軸２０８と時間設定軸２０２とで規定される直交座標系の原点位置が、タッチポイント２０４に設定されている。電子レンジの加熱調理で冷凍ごはんを温める場合、タッチポイント２０４をタッチし、冷凍ごはんを示すデフォルト設定値９００（出力設定値６００Ｗ、時間設定値３分）までタッチポイント２０４をドラッグし、指４０１を離す。これにより、図１１に示すように、タッチポイント２０４を冷凍ごはん用の設定値に設定することができる。
【００８７】
デフォルト設定値９００に対応するアイコンの表示は、タッチ操作部３０１又はＳＷ操作部３０５をユーザが操作することにより、切り替えられる。デフォルト設定値９００は、加熱対象である食品又は料理が分かるような図柄でアイコン化されて表示される。これにより、どの様な食品を加熱するための設定値であるかをより分かりやすくすることができる。
【００８８】
また、タッチ操作部３０１は、指４０１の近接を検知する機能を備えてもよく、ＧＵＩ表示部３０４は、指４０１の近接が検知された場合に、デフォルト設定値９００に対応するアイコンを表示してもよい。その場合、ＧＵＩ表示部３０４は、指４０１とタッチ操作部３０１との間の距離に応じて、アイコンの表示／非表示を切り替える。
【００８９】
また、電子レンジの記憶部３０６は、ユーザが頻繁に使用する任意設定値を記憶してもよく、ＧＵＩ表示部３０４は、記憶部３０６に記憶されている任意設定値をタッチ操作領域内に表示してもよい。例えば、ＧＵＩ表示部３０４は、タッチ操作領域内に、「任意設定値（７００Ｗ、１分）」と表示してもよい。
【００９０】
図１２は、本実施の形態１の第３変形例の電子レンジの出力設定値及び時間設定値を変更する前の表示画面の一例を示す図である。
【００９１】
具体的には、図１２に示すように、ＧＵＩ表示部３０４は、任意設定値９０１に対応するアイコンをタッチ操作領域に表示する。そして、デフォルト設定値９００の操作と同様に、ユーザは、タッチポイント２０４をドラッグするか、もしくはアイコンをタッチする。これにより、ユーザが頻繁に使用する設定値を簡単に設定することができる。
【００９２】
任意設定値９０１に対応するアイコンの表示は、デフォルト設定値９００の表示切替と同様に、タッチ操作部３０１又はＳＷ操作部３０５をユーザが操作することによって切り替えられる。ユーザが頻繁に使う任意設定値９０１はアイコン化されているので、任意設定位置をより直感的に分かるようになる。また、図１２では、ＧＵＩ表示部３０４は、一つの任意設定値９０１のみを表示しているが、複数の任意設定値９０１を表示してもよい。また、家族でそれぞれ異なるアイコンを利用してもよく、ユーザ毎に好みの任意設定値をより分かりやすく表示することができるとともに、設定させることができる。
【００９３】
また、タッチ操作部３０１は、指４０１の近接を検知する機能を備えてもよく、ＧＵＩ表示部３０４は、指４０１の近接が検知された場合に、任意設定値９０１に対応するアイコンを表示してもよい。その場合、ＧＵＩ表示部３０４は、指４０１とタッチ操作部３０１との間の距離に応じて、アイコンの表示／非表示を切り替える。また、ＧＵＩ表示部３０４は、デフォルト設定値９００と任意設定値９０１とを同時に表示してもよい。
【００９４】
また、ＧＵＩ表示部３０４は、指４０１が近接された場合、デフォルト設定値９００及び任意設定値９０１に対応するアイコンを拡大して表示してもよい。これにより、設定値を拡大して分かりやすく表示できるので、利便性を高めることができる。
【００９５】
図１３は、本実施の形態１の第４変形例のオーブンの温度設定値及び時間設定値を変更する際に通常表示される表示画面の一例を示す図である。図１４は、本実施の形態１の第４変形例のオーブンの温度設定値及び時間設定値を変更する際に指が近接した場合に表示される表示画面の一例を示す図である。
【００９６】
ＧＵＩ表示部３０４は、通常状態時（指が近接していない時）、図１３に示すように、温度設定値と時間設定値との交点をタッチポイント２０４として表示しているが、指の近接が検知された時、図１４に示すように、丸型のマーカーボタン１００１をタッチポイント２０４の位置に表示してもよい。これにより、タッチ操作する位置を分かりやすく明示することができる。
【００９７】
また、マーカーボタン１００１は、ユーザがより認識しやすいように点滅表示してもよく、マーカーボタン１００１の形状又は表示方法はこれに限定されない。ＧＵＩ表示部３０４は、タッチ操作部３０１へ指が近接した時、すなわち画面と指との距離が数ｍｍ〜１０ｍｍ程度になった時、マーカーボタン１００１を表示し、指が画面から離された時、マーカーボタン１００１を消去する。
【００９８】
なお、ＧＵＩ表示部３０４は、通常状態時（指が近接していない時）でも、丸型のマーカーボタン１００１をタッチポイント２０４の位置に表示してもよい。
【００９９】
なお、本実施の形態１では、温度と時間との組合せ又は出力と時間との組合せを設定する方法について説明しているが、他のパラメータと時間との組合せを設定してもよい。この場合、上記と同様のＧＵＩ画像が表示され、タッチ操作によって他のパラメータと時間とが設定される（図示しない）。
【０１００】
このように、本実施の形態１によれば、ＧＵＩ表示部３０４は、水平方向に時間設定軸２０２を表示し、垂直方向に温度設定軸２０３を表示し、タッチ操作部３０１は、表示されたタッチ操作領域内におけるタッチ操作を受け付ける。これにより、加熱調理において、温度設定値（又は出力設定値）と時間設定値とを一回のタッチ操作で、同時に入力できるので、電子レンジの設定操作の手数を少なくすることができ、操作性と利便性とを向上させることができる。
【０１０１】
また、タッチ操作部３０１は、一回のドラッグ操作によって、温度設定値（又は出力設定値）と時間設定値とを同時に入力させる。そのため、ユーザは、設定変更の操作を視覚的に確認しながら、電子レンジの加熱調理の２つのパラメータを同時に且つ簡単に設定できるので、より操作性と利便性とを向上させることができる。
【０１０２】
また、タッチ操作部３０１は、時間設定軸２０２と温度設定軸２０３（電子レンジ機能では出力設定軸２０８）との２軸の座標系上の任意の位置へのタッチ操作を受け付けることによって、強度と時間とを同時に入力させる。そのため、ユーザは、所望の設定値の組み合わせの位置を、ダイレクトにタッチ操作することによって、電子レンジの加熱制御の温度（又は出力パワー）と時間とを同時に変更できるので、設定操作の手数を少なくすることができ、操作性と利便性とを向上させることができる。
【０１０３】
また、ＧＵＩ表示部３０４は、予め温度設定値と時間設定値とを組み合わせたデフォルト設定値に対応するアイコン（画像）を、時間設定軸２０２と温度設定軸２０３（電子レンジ機能では出力設定軸２０８）との２軸の座標系上に表示する。これにより、頻繁に利用される代表的な加熱調理におけるパラメータを簡便に設定することが可能となり、利便性をさらに向上させることができる。
【０１０４】
また、記憶部３０６は、予めユーザによって入力された温度設定値（又は出力設定値）と時間設定値との組み合わせを任意設定値として記憶し、ＧＵＩ表示部３０４は、記憶部３０６に記憶されている任意設定値に対応するアイコン（画像）を、時間設定軸２０２と温度設定軸２０３（電子レンジ機能では出力設定軸２０８）との２軸の座標系上に表示する。これにより、ユーザが頻繁に利用する任意の設定値を簡単に利用できるようになり、さらに利便性を向上させることができる。
【０１０５】
なお、本実施の形態１において、ＧＵＩ操作表示部２０１は、静電容量式タッチパネルで構成されるが、本開示は特にこれに限定されず、ＧＵＩ操作表示部２０１は、タッチ操作又はドラッグ操作が可能な抵抗膜方式タッチパネルなどの別方式のタッチパネルで構成されてもよい。
【０１０６】
また、各設定軸を示すＧＵＩ画像において、時間設定軸２０２の目盛は５分単位で表され、温度設定軸２０３の目盛は１００℃単位で表されるが、時間設定軸２０２及び温度設定軸２０３の目盛は、この単位幅に限定されない。
【０１０７】
また、ＧＵＩ表示部３０４は、時間を設定する際に、指が液晶画面からはみ出る場合は、画面を水平方向にスクロールしてもよい。また、ＧＵＩ表示部３０４は、表示する時間の縮尺を変更して、当該画面内に収まるように時間設定軸２０２の目盛を表示してもよい。
【０１０８】
また、本実施の形態１の操作装置（操作表示部４）は、ワイヤレスで通信を行うタッチ操作が可能なスマートホン、タブレット型コンピュータ又はパーソナルコンピュータ（ＰＣ）などであってもよい。この場合、家電機器を遠隔操作することが可能となるので利便性を向上させることができる。
【０１０９】
（実施の形態２）
実施の形態２におけるオーブン電子レンジの外観は、図１に示す実施の形態１における電子レンジの外観と同じであるので、説明を省略する。
【０１１０】
図１５は、本発明の実施の形態２におけるオーブン電子レンジの操作表示部の構成を示す図である。図１６は、本発明の実施の形態２における操作表示部の構成を示すブロック図である。図１、図１５及び図１６を用いて、本実施の形態２の構成を説明する。なお、本実施の形態２では、操作装置を備えた家電機器の一例としてオーブン電子レンジ（以下、電子レンジと呼ぶ）を用いて説明するが、家電機器は、オーブン電子レンジに限定されない。
【０１１１】
次に、図１５を用いて、操作表示部４の外観構成を説明する。図１５の操作表示部４は、ＧＵＩ操作表示部２０１、スタートキー２０５、戻るキー２０６及び取消キー２０７を備える。ＧＵＩ操作表示部２０１には、時間設定軸２０２、温度設定軸２０３及び誘導補助線６０１が表示される。
【０１１２】
ＧＵＩ操作表示部２０１は、フルドット液晶及び静電容量式タッチパネルから構成されている。時間設定軸２０２を横軸とし、温度設定軸２０３を縦軸とし、加熱時間及び加熱温度がグラフ状に表示される。ユーザは、時間設定軸２０２と温度設定軸２０３とで表される直交座標系内の領域を所定の物体を接触させた状態で移動させるドラッグ操作により、一筆書きで軌跡を描き、電子レンジの加熱動作を設定する。
【０１１３】
時間設定軸２０２は、ＧＵＩ操作表示部２０１に表示される時間設定用の座標軸である。時間設定軸２０２には、５、１０、１５，２０（分）のように目盛が付与される。また、時間設定軸２０２の右端以降、すなわち図１５で示す２０分以降を表示しようとすると、グラフ部分がスクロールする。なお、目盛は、レンジ、オーブン、グリル、スチーム又は発酵等の加熱モードによって異なり、範囲を大きくしたり細かくしたりすることが可能である（図示しない）。
【０１１４】
温度設定軸２０３は、ＧＵＩ操作表示部２０１に表示される温度設定用の座標軸である。温度設定軸２０３には、１、３、５、７、９（レベル）のように目盛が付与される。また、温度設定軸２０３の上端以降、すなわち図１５で示す加熱レベル９以降を表示しようとすると、グラフ部分がスクロールする。
【０１１５】
なお、目盛は、レンジ、オーブン、グリル、スチーム又は発酵等の加熱モードによって異なる。加熱モードがオーブン又は発酵である場合は、目盛は温度を表し、加熱モードが電子レンジである場合は、目盛は電波の出力パワー（Ｗ）を表す。
【０１１６】
誘導補助線６０１は、ユーザが温度設定値及び時間設定値を設定する際の目安となる線である。ユーザは、時間設定軸２０２と温度設定軸２０３とで規定される直交座標系上を所定の物体を接触させた状態で移動させる。これにより、所定の物体の接触位置の軌跡が、温度設定値及び時間設定値として設定される。
【０１１７】
スタートキー２０５は、ＧＵＩ操作表示部２０１で設定及び確定された温度設定値及び時間設定値で、加熱調理を開始するためのボタンである。
【０１１８】
戻るキー２０６は、ＧＵＩ操作表示部２０１で遷移されるＧＵＩ表示又はＧＵＩ操作表示部２０１で決定した設定等を一つ前の手順に戻す為のボタンであり、一つ前の画面に戻るためのボタンである。
【０１１９】
取消キー２０７は、ＧＵＩ操作表示部２０１で順次設定された設定値又は加熱動作が開始された後に加熱動作を停止させるためのボタンである。
【０１２０】
スタートキー２０５、戻るキー２０６及び取消キー２０７は、タクトスイッチ又は静電容量式タッチスイッチ等の独立キーで構成されている。
【０１２１】
次に、図１６を用いて、操作表示部４の機能構成を説明する。
【０１２２】
操作表示部４は、タッチ操作部５０１、タッチ検知部５０２、制御部５０３、ＧＵＩ表示部５０４、スイッチ（ＳＷ）操作部５０５、記憶部５０６、ヒータ５０７及び電波出力部５０８を備える。これらの構成要素を協働させ、操作表示部４として機能させている。
【０１２３】
操作表示部４は、ハードウェアとしては、マイクロコンピュータ、フルドット液晶、静電容量式タッチパネル、静電容量式タッチセンサＩＣ及びスイッチを備え、これらのハードウェアと、マイクロコンピュータを動作させるソフトウェアとを協働させている。
【０１２４】
タッチ操作部５０１は、例えば静電容量式タッチパネルで構成される。ユーザの指が接触すると静電容量が変化し、後述するタッチ検知部５０２で検知される。
【０１２５】
タッチ検知部５０２は、タッチ操作部５０１の静電容量の変化を検知するセンサＩＣである。タッチ検知部５０２は、検知した静電容量の変化量及び座標を出力する。
【０１２６】
制御部５０３は、マイクロコンピュータ及びソフトウェアで構成され、各種センサの検知情報及び操作表示部４の設定値を取得する。なお、本実施の形態のように電子レンジが操作装置（操作表示部４）を搭載した場合であれば、制御部５０３は、上記の機能以外にも、加熱用電波を出力するマグネトロン又は庫内を加熱するヒータを駆動し、電子レンジを制御する。なお、制御部５０３を構成するマイクロコンピュータは、１個であっても複数であってもよい。
【０１２７】
ＧＵＩ表示部５０４は、例えばフルドット液晶で構成される。制御部５０３は、描画するＧＵＩ画像をビデオＲＡＭに作成し、作成したＧＵＩ画像を所定タイミングごとに液晶（ＧＵＩ表示部５０４）へ出力する。ＧＵＩ表示部５０４は、制御部５０３によって出力されたＧＵＩ画像を表示する。
【０１２８】
ＳＷ操作部５０５は、例えばタクトスイッチ（ＳＷ）で構成される。ＳＷ操作部５０５は、加熱動作の開始を指示するためのスタートキー、一つ前の画面に戻るための戻るキー、及び入力内容を取り消したり加熱動作を停止したりするための取消キーで構成される。
【０１２９】
記憶部５０６は、ＲＯＭ又はＲＡＭなどのメモリで構成される。記憶部５０６は、加熱モードごとに頻繁に利用される標準のデフォルト設定値（温度設定値と時間設定値との組合せ又は出力設定値と時間設定値との組合せ）、又はユーザが頻繁に利用する任意設定値を記憶する。任意設定値は、ユーザが操作表示部４を操作することにより、適宜ＲＡＭ又は書換え可能なＲＯＭ（ＦｌａｓｈＲＯＭやＥＥＰＲＯＭなど）に記憶される。
【０１３０】
ヒータ５０７は、オーブン調理用の加熱用ヒータで構成される。制御部５０３は、ヒータ５０７に供給する電力を制御し、オーブン調理の温度を調整及び制御する。
【０１３１】
電波出力部５０８は、電子レンジ調理用の電波を出力するマグネトロンで構成される。制御部５０３は、電波出力部５０８から出力される電波を調整及び制御する。
【０１３２】
なお、本実施の形態２の操作装置は、図１６の点線部分で示されるタッチ操作部５０１、タッチ検知部５０２、制御部５０３、ＧＵＩ表示部５０４、ＳＷ操作部５０５及び記憶部５０６から構成される。
【０１３３】
ここで、タッチ操作部５０１は、所定の物体を接触させた状態で直交座標系上を移動させる操作により、所定の物体の接触位置の軌跡を強度設定値及び時間設定値の入力として受け付ける。記憶部５０６は、直交座標系上における所定の軌跡（誘導補助線６０１）を記憶する。ＧＵＩ表示部５０４は、ＧＵＩ表示部５０４に所定の物体が接触する前に、記憶部５０６に記憶されている所定の軌跡（誘導補助線６０１）を表示する。
【０１３４】
なお、ＧＵＩ表示部５０４は、電源が投入された後、ドア３が閉じられた後、又は加熱モードが選択された後、記憶部５０６に記憶されている所定の軌跡（誘導補助線６０１）を表示してもよい。
【０１３５】
次に、本実施の形態２の電子レンジのオーブン調理において、ＧＵＩ操作表示部２０１上に指又はスタイラスペンのようなペン型入力デバイスによって軌跡を描くことにより、温度設定値と時間設定値とを設定及び変更する動作について説明する。
【０１３６】
図１７は、本実施の形態２の電子レンジのオーブン調理における温度設定値（加熱レベル）及び時間設定値を設定する前の表示画面の一例を示す図である。図１８は、本実施の形態２の電子レンジのオーブン調理における温度設定値及び時間設定値を設定した後の表示画面の一例を示す図である。図１９は、本実施の形態２においてドラッグ操作により温度設定値及び時間設定値を設定する動作を説明するためのフローチャートである。図１７〜図１９を用いて、温度設定値及び時間設定値を設定する動作を説明する。
【０１３７】
まず、ステップＳ４１において、ＧＵＩ表示部５０４は、ユーザの操作を補助するとともに温度設定値の時間変化を示す誘導補助線６０１を、縦軸が温度設定値であり横軸が時間設定値である直交座標系上に表示する。記憶部５０６は、誘導補助線６０１を予め記憶している。制御部５０３は、記憶部５０６から誘導補助線６０１を読み出し、誘導補助線６０１を直交座標系上に表示するＧＵＩ画像を作成し、ＧＵＩ表示部５０４へ出力する。
【０１３８】
オーブン調理する設定を変更する場合、図１７に示すように、ＧＵＩ表示部５０４は、時間設定軸２０２と温度設定軸２０３との間の領域に点線で示す誘導補助線６０１を表示する。ユーザは、誘導補助線６０１を左側から指４０１でなぞるようにしてドラッグ操作する。
【０１３９】
誘導補助線６０１は、自分自身で自由に温度及び時間を設定することに不慣れな使用者であっても、一筆書きにより入力すべき設定内容をある程度知ることができ、一筆書きにより入力操作を行いやすくする。誘導補助線６０１は、オーブン調理する際に温度設定値及び時間設定値を設定する前に表示される。
【０１４０】
なお、点線などで表される誘導補助線６０１は使用者をガイドするためのものであり、使用者が指で点線をなぞることを強制するものではない。
【０１４１】
誘導補助線６０１の表示形態としては点線以外であってもよいが、後述する図１８に示されるように、実際に使用者が指４０１でなぞった軌跡（太い実線で表示）とは異なる表示形態であることが見易さの観点から望ましい。
【０１４２】
また、点線などで表される誘導補助線６０１は、オーブン調理する調理対象物によって異なり、使用者が指定した調理対象物によって異なる形態（調理過程）で表示される。すなわち、ＧＵＩ表示部５０４に所定の物体が接触する前に表示される所定の軌跡（誘導補助線６０１）は、家電機器が制御する対象物に応じて異なることが好ましい。
【０１４３】
この場合、記憶部５０６は、家電機器が制御する対象物に対応付けて誘導補助線６０１を記憶する。例えば、記憶部５０６は、ハンバーグ等の調理メニューに対応付けて誘導補助線６０１を記憶してもよいし、冷凍ごはんなどの食品に対応付けて誘導補助線６０１を記憶してもよい。ユーザは、食品を電子レンジに収納した際に、収納した食品を特定するための情報を入力する。これにより、制御部５０３は、入力された食品に対応する誘導補助線６０１を読み出し、ＧＵＩ表示部５０４に表示する。なお、電子レンジは、庫内の食品を撮影する撮影部を備えてもよく、制御部５０３は、撮影部によって撮影された食品に応じた誘導補助線６０１を自動的に特定してもよい。
【０１４４】
また、点線などで表される誘導補助線６０１は、前回使用者が設定した形態（調理過程）で表示してもよい。すなわち、記憶部５０６は、前回使用者が設定した所定の物体の接触位置の軌跡を記憶してもよく、ＧＵＩ表示部５０４は、記憶部５０６に記憶されている前回の軌跡を誘導補助線６０１として表示してもよい。
【０１４５】
また、誘導補助線６０１は、過去に使用者が設定した複数の形態（調理過程）を平均化して表示してもよい。すなわち、記憶部５０６は、過去に使用者が設定した所定の物体の接触位置の複数の軌跡を記憶してもよく、制御部５０３は、記憶部５０６に記憶されている複数の軌跡を平均化し、ＧＵＩ表示部５０４は、平均化した軌跡を誘導補助線６０１として表示してもよい。
【０１４６】
この時、ＧＵＩ表示部５０４は、現時点の設定値を、時間設定軸２０２と温度設定軸２０３との間の領域に表示する。本実施の形態２では、温度設定値は９段階の加熱レベルで表示される。現時点の誘導補助線６０１は、例えば加熱開始から５分間は加熱レベル９に設定され、その後１５分間は加熱レベル２に設定されている。
【０１４７】
次に、ステップＳ４２において、タッチ検知部５０２は、タッチパネル（タッチ操作部５０１）上にユーザの指が接触したか否かを判断する。タッチ操作部５０１が指でタッチされると、タッチ検知部５０２は、タッチ操作有を検知する。ここで、ユーザの指が接触していないと判断された場合（ステップＳ４２でＮＯ）、ステップＳ４１の処理に戻る。
【０１４８】
一方、ユーザの指が接触したと判断された場合（ステップＳ４２でＹＥＳ）、ステップＳ４３において、タッチ検知部５０２は、タッチされた座標を検知し、検知した座標を制御部５０３へ出力する。
【０１４９】
次に、ステップＳ４４において、タッチ検知部５０２は、ドラッグ操作を検知したか否かを判断する。ドラッグ操作とは、指がタッチパネルに接触した状態で移動する操作である。指４０１が図１７に示す矢印の方向に沿ってドラッグされると、タッチ検知部５０２は、ドラッグ操作を検知する。ここで、ドラッグ操作が検知されない場合（ステップＳ４４でＮＯ）、ステップＳ４７の処理へ移行する。
【０１５０】
一方、ドラッグ操作が検知された場合（ステップＳ４４でＹＥＳ）、ステップＳ４５において、タッチ検知部５０２は、ドラッグされた座標を検知し、検知した座標を制御部５０３へ出力する。
【０１５１】
指４０１が図１７に示す矢印の方向に沿ってドラッグされると、タッチ検知部５０２は、指４０１がタッチしているタッチ操作部５０１の座標を所定時間間隔（例えば数１０ミリ秒程度）で検知し、検知した座標を制御部５０３へ出力する。制御部５０３は、取得したタッチ座標に応じてＧＵＩ画像を作成する。制御部５０３は、ユーザの指が接触した状態で移動している間、所定時間間隔で検知された２つの座標を結ぶ直線を描画するＧＵＩ画像を作成する。これにより、ユーザの指が移動した軌跡が、実線で表示される。
【０１５２】
次に、ステップＳ４６において、ＧＵＩ表示部５０４は、制御部５０３によって作成されたＧＵＩ画像を画面更新タイミング毎に表示する。ユーザは、自分が設定したい温度及び時間の位置まで指４０１を画面に接触させた状態で移動させ、指４０１を画面から離す。
【０１５３】
次に、ステップＳ４７において、タッチ検知部５０２は、指４０１が画面から離されたか否かを判断する。タッチ検知部５０２は、指４０１が画面から離されたことを検知する。ここで、指４０１が離されていないと判断された場合（ステップＳ４７でＮＯ）、ステップＳ４４の処理に戻る。
【０１５４】
一方、指４０１が離されたと判断された場合（ステップＳ４７でＹＥＳ）、ステップＳ４８において、タッチ検知部５０２は、指４０１が画面から離された位置を示す座標を検知する。タッチ検知部５０２は、指４０１が画面から離されたことを示すリリース情報と、指４０１が離された位置を示す座標とを制御部５０３へ出力する。
【０１５５】
次に、ステップＳ４９において、制御部５０３は、指４０１が移動することにより、変更した温度設定値及び時間設定値を示したＧＵＩ画像を作成し、ＧＵＩ表示部５０４は、制御部５０３によって作成されたＧＵＩ画像を表示する。図１８に示すように、指４０１を接触させた状態で直交座標系上を移動させる操作により、指４０１の接触位置の軌跡６０２が表示される。また、制御部５０３は、同時に記憶部５０６に、変更された温度設定値及び時間設定値を記憶する。この場合、記憶部５０６には、加熱レベル９で０分から５分まで加熱し、その後加熱レベル２で５分から２０分まで加熱する一連の加熱動作の設定値が記憶される。
【０１５６】
なお、ＧＵＩ表示部５０４に所定の物体が接触する前に表示される所定の軌跡（誘導補助線６０１）の表示形態は、タッチ操作部５０１により入力される所定の物体の接触位置の軌跡６０２の表示形態と異なることが好ましい。
【０１５７】
その後、ＳＷ操作部５０５は、スタートキー２０５の押下を受け付ける。スタートキー２０５が押下されると、制御部５０３は、記憶部５０６に記憶された温度設定値及び時間設定値でオーブン調理用のヒータ５０７の加熱動作を制御する。
【０１５８】
なお、図１７に示すように、ＧＵＩ表示部５０４は、ユーザが温度設定値及び時間設定値を設定する際に、誘導補助線６０１を表示しているが、本開示は特にこれに限定されず、ＧＵＩ表示部５０４は、デフォルト表示として誘導補助線６０１を表示しなくてもよい。
【０１５９】
また、タッチ検知部５０２は、ＧＵＩ表示部５０４に接触された所定の物体の軌跡を任意の区間ごとに座標値に変換し、隣り合う座標値の水平方向の値の変化が所定値以下である場合、隣り合う座標値の水平方向の値は変化していないとして入力を受け付け、隣り合う座標値の垂直方向の値の変化が所定値以下である場合、隣り合う座標値の垂直方向の値は変化していないとして入力を受け付ける。なお、任意の区間とは、例えば、水平方向の所定の区間、垂直方向の所定の区間、所定の長さ、又はタッチ検知部５０２によって所定の物体が画面に接触していることが検知される期間を示す。
【０１６０】
すなわち、タッチ検知部５０２は、指４０１がタッチしているタッチ操作部５０１の座標を所定時間間隔（数１０ミリ秒程度）で検知している。タッチ検知部５０２は、第１の時間に検知された第１の座標と、第１の時間から所定時間（数１０ミリ秒）前の第２の時間に検知された第２の座標とを比較する。その結果、第１の座標の水平方向の値と第２の座標の水平方向の値との変化値が所定値以下である場合、タッチ検知部５０２は、第１の座標の水平方向の値を第２の座標の水平方向の値に置き換える。また、第１の座標の垂直方向の値と第２の座標の垂直方向の値との変化値が所定値以下である場合、タッチ検知部５０２は、第１の座標の垂直方向の値を第２の座標の垂直方向の値に置き換える。
【０１６１】
これにより、一筆書きにより入力された軌跡が歪な形状であっても、当該軌跡が直線として認識される。そのため、調理機器の設定値が最適化され、使用者は軌跡の形状を気にせずに簡単に設定値を入力することができる。
【０１６２】
このように、本実施の形態２によれば、ＧＵＩ表示部５０４は、水平方向に時間設定軸２０２を表示し、垂直方向に温度設定軸２０３を表示し、タッチ操作部５０１は、表示されたタッチ操作領域内におけるタッチ操作を受け付ける。これにより、加熱調理において、温度設定値（又は出力設定値）と時間設定値とを一回のタッチ操作で、同時に入力できるので、電子レンジの設定操作の手数を少なくすることができ、操作性と利便性とを向上させることができる。
【０１６３】
また、タッチ操作部５０１は、一回のドラッグ操作によって、温度設定値（又は出力設定値）と時間設定値とを同時に入力させる。そのため、ユーザは、設定変更の操作を視覚的に確認しながら、電子レンジの加熱調理の２つのパラメータを同時に且つ簡単に設定できるので、より操作性と利便性とを向上させることができる。
【０１６４】
また、タッチ操作部５０１は、時間設定軸２０２と温度設定軸２０３（電子レンジ機能では出力設定軸）との２軸の座標系上の任意の位置へのタッチ操作を受け付けることによって、強度と時間とを同時に入力させる。そのため、ユーザは、所望の設定値の組み合わせの位置を、ダイレクトにタッチ操作することによって、電子レンジの加熱制御の温度（又は出力パワー）と時間とを同時に設定できるので、設定操作の手数を少なくすることができ、操作性と利便性とを向上させることができる。
【０１６５】
なお、本実施の形態２において、ＧＵＩ操作表示部２０１は、静電容量式タッチパネルで構成されるが、本開示は特にこれに限定されず、ＧＵＩ操作表示部２０１は、タッチ操作又はドラッグ操作が可能な抵抗膜方式タッチパネルなどの別方式のタッチパネルで構成されてもよい。
【０１６６】
また、各設定軸を示すＧＵＩ画像において、時間設定軸２０２の目盛は５分単位で表され、温度設定軸２０３の目盛は１レベル単位で表されるが、時間設定軸２０２及び温度設定軸２０３の目盛は、この単位幅に限定されない。
【０１６７】
また、ＧＵＩ表示部５０４は、時間を設定する際に、指が液晶画面からはみ出る場合は、画面を水平方向にスクロールしてもよい。また、ＧＵＩ表示部５０４は、表示する時間の縮尺を変更して、当該画面内に収まるように時間設定軸２０２の目盛を表示してもよい。
【０１６８】
また、本実施の形態２の操作装置（操作表示部４）は、ワイヤレスで通信を行うタッチ操作が可能なスマートホン、タブレット型コンピュータ又はパーソナルコンピュータ（ＰＣ）などであってもよい。この場合、家電機器を遠隔操作することが可能となるので利便性を向上させることができる。
【０１６９】
また、本実施の形態１，２の操作装置（操作表示部４）を備える家電機器は、電子レンジに限定されず、制御する対象物に対して強度と時間とを設定する家電機器であればよい。電子レンジ以外の例としては、洗濯乾燥機、食器洗い乾燥機、電子レンジ、オーブン、炊飯器、ＩＨ（Ｉｎｄｕｃｔｉｏｎ  Ｈｅａｔｉｎｇ）調理器、空調機器、マッサージチェアなどの健康機器、又はロボット掃除機などが考えられる。また、本実施の形態１，２の操作装置は、ＦＡ（Ｆａｃｔｏｒｙ  Ａｕｔｏｍａｔｉｏｎ）機器又は医療機器の操作装置に利用してもよい。
【０１７０】
図２０は、操作装置と、操作装置によって操作される複数の家電機器とを備える機器制御システムの一例を示す図である。
【０１７１】
図２０に示すように、機器制御システムは、操作装置７０１と、複数の家電機器８００とを備える。操作装置７０１は、本実施の形態１，２における操作装置（操作表示部４）である。操作装置７０１は、複数の家電機器８００を遠隔操作する。
【０１７２】
複数の家電機器８００は、電子レンジ８０１、オーブン８０２、ＩＨ調理器８０３、炊飯器８０４、ミキサー８０５、洗濯機８０６、乾燥機８０７、掃除機８０８、食器洗い機８０９、エアコン８１０及びマッサージチェア８１１を含む。
【０１７３】
操作装置７０１と複数の家電機器８００とは、ネットワークを介して互いに通信可能に接続される。なお、ネットワークは、例えば、ローカルエリアネットワーク（ＬＡＮ）又はインターネット等である。
【０１７４】
図２１は、複数の家電機器のそれぞれによって制御される強度設定値の一例を示す図である。
【０１７５】
図２１に示すように、電子レンジ８０１によって制御される強度設定値は、電磁波出力値であり、オーブン８０２によって制御される強度設定値は、火力又は温度であり、ＩＨ調理器８０３によって制御される強度設定値は、火力又は温度であり、炊飯器８０４によって制御される強度設定値は、火力又は温度であり、ミキサー８０５によって制御される強度設定値は、回転数であり、洗濯機８０６によって制御される強度設定値は、洗濯槽の回転数、水量又は水温であり、乾燥機８０７によって制御される強度設定値は、ヒータ出力値又は温度であり、掃除機８０８によって制御される強度設定値は、吸い込み強度であり、食器洗い機８０９によって制御される強度設定値は、水量又は水温であり、エアコン８１０によって制御される強度設定値は、温度又は風量であり、マッサージチェア８１１によって制御される強度設定値は、もみ強度である。
【０１７６】
なお、上述した具体的実施形態には以下の構成を有する発明が主に含まれている。
【０１７７】
本発明の一局面に係る操作装置は、家電機器を操作する操作装置であって、前記家電機器の動作強度を規定する強度設定値と、前記家電機器の動作時間を規定する時間設定値とを直交座標系上に表示する表示部と、前記表示部に所定の物体を接触させる操作により、前記表示部で表示される前記強度設定値と前記時間設定値との入力を同時に受け付ける操作部とを備える。
【０１７８】
この構成によれば、表示部によって、家電機器の動作強度を規定する強度設定値と、家電機器の動作時間を規定する時間設定値とが直交座標系上に表示され、操作部によって、表示部に所定の物体を接触させる操作により、表示部で表示される強度設定値と時間設定値との入力が同時に受け付けられる。
【０１７９】
したがって、家電機器の動作強度を規定する強度設定値と、家電機器の動作時間を規定する時間設定値とを少ない手数で簡単に設定することができるので、使用者の利便性を向上させることができる。
【０１８０】
また、上記の操作装置において、前記直交座標系上の縦軸及び横軸の一方は、前記強度設定値を表し、前記縦軸及び前記横軸の他方は、前記時間設定値を表し、前記操作部は、前記直交座標系上における前記強度設定値と前記時間設定値との交点をドラッグさせる操作により、前記強度設定値と前記時間設定値との入力を同時に受け付けることが好ましい。
【０１８１】
この構成によれば、直交座標系上における強度設定値と時間設定値との交点をドラッグさせる操作により、強度設定値と時間設定値との入力が同時に受け付けられるので、強度設定値と時間設定値とを視覚的に確認しながら同時に設定できるので、使用者の操作性と利便性とを向上させることができる。
【０１８２】
また、上記の操作装置において、前記直交座標系上の縦軸及び横軸の一方は、前記強度設定値を表し、前記縦軸及び前記横軸の他方は、前記時間設定値を表し、前記操作部は、前記直交座標系上における任意の位置をタッチする操作により、前記強度設定値と前記時間設定値との入力を同時に受け付け、前記表示部は、前記操作部によってタッチされた位置と、前記強度設定値と前記時間設定値との交点とが一致するように、前記強度設定値と前記時間設定値とを表示することが好ましい。
【０１８３】
この構成によれば、直交座標系上における任意の位置をタッチする操作により、強度設定値と時間設定値との入力が同時に受け付けられ、タッチされた位置と、強度設定値と時間設定値との交点とが一致するように、強度設定値と時間設定値とが表示される。
【０１８４】
したがって、強度設定値と時間設定値とを視覚的に確認しながら同時に設定できるので、使用者の操作性と利便性とを向上させることができる。
【０１８５】
また、上記の操作装置において、前記操作部は、前記所定の物体を接触させた状態で前記直交座標系上を移動させる操作により、前記所定の物体の接触位置の軌跡を前記強度設定値及び前記時間設定値の入力として受け付けることが好ましい。
【０１８６】
この構成によれば、所定の物体を接触させた状態で直交座標系上を移動させる操作により、所定の物体の接触位置の軌跡が強度設定値及び時間設定値の入力として受け付けられる。
【０１８７】
したがって、所定の物体によって一筆書きするという直感的かつ簡易な操作により、家電機器の動作強度を規定する強度設定値と、家電機器の動作時間を規定する時間設定値とを少ない手数で簡単に設定することができるので、使用者の利便性を向上させることができる。
【０１８８】
また、上記の操作装置において、前記直交座標系上における所定の軌跡を記憶する記憶部をさらに備え、前記表示部は、前記表示部に前記所定の物体が接触する前に、前記記憶部に記憶されている前記所定の軌跡を表示することが好ましい。
【０１８９】
この構成によれば、表示部に所定の物体が接触する前に、記憶部に記憶されている所定の軌跡が表示されるので、利用者は、予め表示される所定の軌跡を目安として、強度設定値及び時間設定値を入力することができ、利用者の利便性を向上させることができる。
【０１９０】
また、上記の操作装置において、前記表示部に前記所定の物体が接触する前に表示される前記所定の軌跡の表示形態は、前記操作部により入力される前記所定の物体の接触位置の軌跡の表示形態と異なることが好ましい。
【０１９１】
この構成によれば、表示部に所定の物体が接触する前に表示される所定の軌跡の表示形態は、操作部により入力される所定の物体の接触位置の軌跡の表示形態と異なる。
【０１９２】
したがって、表示部に所定の物体が接触する前に使用者へのガイドとして表示される所定の軌跡と、実際に使用者によって入力された軌跡とを容易に見分けることができ、視認性を向上させることができる。
【０１９３】
また、上記の操作装置において、前記表示部に前記所定の物体が接触する前に表示される前記所定の軌跡は、前記家電機器が制御する対象物に応じて異なることが好ましい。
【０１９４】
この構成によれば、表示部に所定の物体が接触する前に表示される所定の軌跡は、家電機器が制御する対象物に応じて異なるので、家電機器が制御する対象物に応じた強度設定値及び時間設定値を事前に使用者に提示することができ、利用者の利便性を向上させることができる。
【０１９５】
また、上記の操作装置において、前記操作部は、前記表示部に接触された前記所定の物体の軌跡を任意の区間ごとに座標値に変換し、隣り合う座標値の水平方向の値の変化が所定値以下である場合、前記隣り合う座標値の水平方向の値は変化していないとして入力を受け付け、隣り合う座標値の垂直方向の値の変化が所定値以下である場合、前記隣り合う座標値の垂直方向の値は変化していないとして入力を受け付けることが好ましい。
【０１９６】
この構成によれば、表示部に接触された所定の物体の軌跡が任意の区間ごとに座標値に変換される。そして、隣り合う座標値の水平方向の値の変化が所定値以下である場合、隣り合う座標値の水平方向の値は変化していないとして入力が受け付けられる。また、隣り合う座標値の垂直方向の値の変化が所定値以下である場合、隣り合う座標値の垂直方向の値は変化していないとして入力が受け付けられる。
【０１９７】
したがって、所定の物体の接触位置の軌跡が歪な形状であっても、当該軌跡が直線として認識されるので、家電機器の強度設定値及び時間設定値が最適化され、使用者は軌跡の形状を気にせずに簡単に強度設定値及び時間設定値を入力することができる。
【０１９８】
また、上記の操作装置において、前記家電機器は、食品を加熱する加熱調理器を含むことが好ましい。
【０１９９】
この構成によれば、食品を加熱する加熱調理器の強度設定値及び時間設定値を入力することができる。
【０２００】
本発明の他の局面に係る操作方法は、家電機器を操作するための操作方法であって、表示部が、前記家電機器の動作強度を規定する強度設定値と、前記家電機器の動作時間を規定する時間設定値とを直交座標系上に表示するステップと、操作部が、前記表示部に所定の物体を接触させる操作により、前記表示部で表示される前記強度設定値と前記時間設定値との入力を同時に受け付けるステップと、を含む。
【０２０１】
この構成によれば、表示部によって、家電機器の動作強度を規定する強度設定値と、家電機器の動作時間を規定する時間設定値とが直交座標系上に表示され、操作部によって、表示部に所定の物体を接触させる操作により、表示部で表示される強度設定値と時間設定値との入力が同時に受け付けられる。
【０２０２】
したがって、家電機器の動作強度を規定する強度設定値と、家電機器の動作時間を規定する時間設定値とを少ない手数で簡単に設定することができるので、使用者の利便性を向上させることができる。
【０２０３】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０２０４】
本発明に係る操作装置及び操作方法は、使用者の利便性を向上させることができ、家電機器を操作する操作装置及び操作方法として有用である。
【図１】
2015059920.tif 000003
【図２】
2015059920.tif 000004
【図３】
2015059920.tif 000005
【図４】
2015059920.tif 000006
【図５】
2015059920.tif 000007
【図６】
2015059920.tif 000008
【図７】
2015059920.tif 000009
【図８】
2015059920.tif 000010
【図９】
2015059920.tif 000011
【図１０】
2015059920.tif 000012
【図１１】
2015059920.tif 000013
【図１２】
2015059920.tif 000014
【図１３】
2015059920.tif 000015
【図１４】
2015059920.tif 000016
【図１５】
2015059920.tif 000017
【図１６】
2015059920.tif 000018
【図１７】
2015059920.tif 000019
【図１８】
2015059920.tif 000020
【図１９】
2015059920.tif 000021
【図２０】
2015059920.tif 000022
【図２１】
2015059920.tif 000023
【国際調査報告】
2015059920.tif 000024
2015059920.tif 000025